(57)【要約】【課題】受信装置の製造コストの増加を抑制しつつ、フラットな特性の受信信号を得ること。【解決手段】送信装置（ＨＥ装置２０）は、放送信号を受信装置に向けて送信する放送送信手段と、放送信号の周波数特性を示す特性情報を受信装置から受信する情報受信手段と、情報受信手段によって受信された特性情報に基づいて、放送送信手段が送信する放送信号の周波数特性を調整する調整手段と、を有し、受信装置（ＯＮＵ６０−１〜６０−ｎ）は、送信装置から放送信号を受信する放送受信手段と、放送受信手段によって受信した放送信号の周波数特性を検出する検出手段と、検出手段によって検出された周波数特性を特性情報として送信装置の情報受信手段に対して送信する情報送信手段と、を有する、ことを特徴とする。【選択図】図１
2018191092.tif 000002
【特許請求の範囲】
【請求項１】
放送信号を再送信する送信装置と、前記送信装置によって送信された前記放送信号を受信する受信装置とを有する再送信システムにおいて、
前記送信装置は、
前記放送信号を前記受信装置に向けて送信する放送送信手段と、
前記放送信号の周波数特性を示す特性情報を前記受信装置から受信する情報受信手段と、
前記情報受信手段によって受信された前記特性情報に基づいて、前記放送送信手段が送信する前記放送信号の前記周波数特性を調整する調整手段と、を有し、
前記受信装置は、
前記送信装置から前記放送信号を受信する放送受信手段と、
前記放送受信手段によって受信した前記放送信号の前記周波数特性を検出する検出手段と、
前記検出手段によって検出された前記周波数特性を前記特性情報として前記送信装置の前記情報受信手段に対して送信する情報送信手段と、を有する、
ことを特徴とする再送信システム。
【請求項２】
前記送信装置は、前記放送信号をデジタル信号に変換する第１変換手段と、前記デジタル信号をアナログ信号に変換する第２変換手段とを有し、
前記調整手段は、前記第１変換手段によって得られる前記デジタル信号に対して、フィルタ処理を施すことで前記周波数特性を調整した後、前記第２変換手段に供給することを特徴とする請求項１に記載の再送信システム。
【請求項３】
前記検出手段は、前記放送信号を複数の帯域に分割した場合のそれぞれの帯域の信号レベルを検出して前記特性情報を生成し、
前記調整手段は、前記特性情報が示すそれぞれの帯域の信号レベルを参照し、各帯域の信号レベルが等しくなるように調整する、
ことを特徴とする請求項２に記載の再送信システム。
【請求項４】
前記調整手段は、複数の帯域を同時に処理するフィルタ処理によって、前記各帯域の信号レベルが等しくなるように調整することを特徴とする請求項３に記載の再送信システム。
【請求項５】
前記送信装置は、前記第１変換手段に入力される前記放送信号を低い周波数に変換する周波数変換手段を有し、
前記第２変換手段は、前記調整手段から出力される前記デジタル信号を元の周波数に周波数変換する、
ことを特徴とする請求項２乃至４のいずれか１項に記載の再送信システム。
【請求項６】
前記送信装置は、前記第１変換手段を２つ備え、
前記放送信号を直交復調して２つの前記第１変換手段に供給する直交復調手段を有することを特徴とする請求項２乃至４のいずれか１項に記載の再送信システム。
【請求項７】
前記送信装置は、複数の前記放送信号を入力し、所望の前記放送信号を選択して前記調整手段に供給する選択手段を有することを特徴とする請求項２乃至４のいずれか１項に記載の再送信システム。
【請求項８】
前記受信装置を複数有し、
前記調整手段は、複数の前記受信装置から送信された前記特性情報に基づいて前記周波数特性を調整する、
ことを特徴とする請求項１乃至７のいずれか１項に記載の再送信システム。
【請求項９】
前記調整手段は、複数の前記受信装置から送信された前記特性情報の最大値および最小値に基づいて前記周波数特性を調整することを特徴とする請求項５に記載の再送信システム。
【請求項１０】
前記情報送信手段は前記情報受信手段に対して、前記放送信号が伝送される伝送媒体と同じ前記伝送媒体を介して上り信号として前記特性情報を送信することを特徴とする請求項１乃至９のいずれか１項に記載の再送信システム。
【請求項１１】
前記情報送信手段は前記情報受信手段に対して、電話回線を介して前記特性情報を送信することを特徴とする請求項１乃至９のいずれか１項に記載の再送信システム。
【請求項１２】
放送信号を再送信する送信装置と、前記送信装置によって送信された前記放送信号を受信する受信装置とを有する再送信システムの前記送信装置において、
前記放送信号を前記受信装置に向けて送信する放送送信手段と、
前記放送信号の周波数特性を示す特性情報を前記受信装置から受信する情報受信手段と、
前記情報受信手段によって受信された前記特性情報に基づいて、前記放送送信手段が送信する前記放送信号の前記周波数特性を調整する調整手段と、
を有することを特徴とする送信装置。
【請求項１３】
放送信号を再送信する送信装置と、前記送信装置によって送信された前記放送信号を受信する受信装置とを有する再送信システムの前記受信装置において、
前記送信装置から前記放送信号を受信する放送受信手段と、
前記放送受信手段によって受信した前記放送信号の周波数特性を検出する検出手段と、
前記検出手段によって検出された前記周波数特性を特性情報として前記送信装置の情報受信手段に対して送信する情報送信手段と、
を有することを特徴とする受信装置。
【発明の詳細な説明】
【技術分野】
【０００１】
本発明は、再送信システム、送信装置、および、受信装置に関するものである。
【背景技術】
【０００２】
広帯域信号を、伝送路を介して伝送する場合、伝送路の周波数特性によって、特性がフラットでなくなり、受信側で信号を正しく再生できない場合がある。
【０００３】
特許文献１では、受信装置において、複数の中間バンドパスフィルタが、中間周波信号を各々が異なる通過帯域で濾過して出力し、レベル検出部は、各中間バンドパスフィルタの出力レベルを各々検出して記憶するとともに、検出した出力レベルをＤＳＰに出力し、切替器がＤＳＰの制御により、レベル検出部の出力を選択して切り換え、Ａ／Ｄ変換器がレベル検出部から出力されるアナログ信号をデジタル信号に変換する技術が開示されている。
【先行技術文献】
【特許文献】
【０００４】
【特許文献１】特開平１１−０１７５７５号公報
【発明の概要】
【発明が解決しようとする課題】
【０００５】
ところで、前述した技術では、受信装置が通過帯域毎のフィルタ、Ａ／Ｄ変換器、ＤＳＰ、および、ＦＦＴ等を有する必要があることから、受信装置の製造コストが増加するという問題点がある。
【０００６】
本発明は、以上の点を鑑みてなされたものであり、受信装置の製造コストの増加を抑制しつつ、フラットな特性の受信信号を得ることが可能な放送システムを提供することを目的としている。
【課題を解決するための手段】
【０００７】
上記課題を解決するために、本発明は、放送信号を再送信する送信装置と、前記送信装置によって送信された前記放送信号を受信する受信装置とを有する再送信システムにおいて、前記送信装置は、前記放送信号を前記受信装置に向けて送信する放送送信手段と、前記放送信号の周波数特性を示す特性情報を前記受信装置から受信する情報受信手段と、前記情報受信手段によって受信された前記特性情報に基づいて、前記放送送信手段が送信する前記放送信号の前記周波数特性を調整する調整手段と、を有し、前記受信装置は、前記送信装置から前記放送信号を受信する放送受信手段と、前記放送受信手段によって受信した前記放送信号の前記周波数特性を検出する検出手段と、前記検出手段によって検出された前記周波数特性を前記特性情報として前記送信装置の前記情報受信手段に対して送信する情報送信手段と、を有する、ことを特徴とする。
このような構成によれば、受信装置の製造コストの増加を抑制しつつ、フラットな特性の受信信号を得ることが可能となる。
【０００８】
また、本発明は、前記送信装置は、前記放送信号をデジタル信号に変換する第１変換手段と、前記デジタル信号をアナログ信号に変換する第２変換手段とを有し、前記調整手段は、前記第１変換手段によって得られる前記デジタル信号に対して、フィルタ処理を施すことで前記周波数特性を調整した後、前記第２変換手段に供給することを特徴とする。
このような構成によれば、デジタル信号処理により、構成を簡略化することができる。
【０００９】
また、本発明は、前記検出手段は、前記放送信号を複数の帯域に分割した場合のそれぞれの帯域の信号レベルを検出して前記特性情報を生成し、前記調整手段は、前記特性情報が示すそれぞれの帯域の信号レベルを参照し、各帯域の信号レベルが等しくなるように調整する、ことを特徴とする。
このような構成によれば、帯域毎に調整することで、放送信号の周波数特性を効率良く調整することができる。
【００１０】
また、本発明は、前記調整手段は、複数の帯域を同時に処理するフィルタ処理によって、前記各帯域の信号レベルが等しくなるように調整することを特徴とする。
このような構成によれば、フィルタの構成をより簡易化することができる。
【００１１】
また、本発明は、前記送信装置は、前記第１変換手段に入力される前記放送信号を低い周波数に変換する周波数変換手段を有し、前記第２変換手段は、前記調整手段から出力される前記デジタル信号を元の周波数に周波数変換する、ことを特徴とする。
このような構成によれば、放送信号を低い周波数に変換することで、動作周波数の遅い回路を用いることができる。
【００１２】
また、本発明は、前記送信装置は、前記第１変換手段を２つ備え、前記放送信号を直交復調して２つの前記第１変換手段に供給する直交復調手段を有することを特徴とする。
このような構成によれば、直交復調により、サンプリング周波数を低減することができる。
【００１３】
また、本発明は、前記送信装置は、複数の前記放送信号を入力し、所望の前記放送信号を選択して前記調整手段に供給する選択手段を有することを特徴とする。
このような構成によれば、所望の放送信号のみを選択するとこで、伝送帯域を低減することができる。
【００１４】
また、本発明は、前記受信装置を複数有し、前記調整手段は、複数の前記受信装置から送信された前記特性情報に基づいて前記周波数特性を調整する、ことを特徴とする。
このような構成によれば、複数の受信装置からの特性情報を参照することで、周波数特性をより広帯域に調整することができる。
【００１５】
また、本発明は、前記調整手段は、前記複数の前記受信装置から送信された前記特性情報の最大値および最小値に基づいて前記周波数特性を調整することを特徴とする。
このような構成によれば、例えば、最大値および最小値が所定の範囲内に収まるように調整することで、信号レベルを適正に保つことができる。
【００１６】
また、本発明は、前記情報送信手段は前記情報受信手段に対して、前記放送信号が伝送される伝送媒体と同じ前記伝送媒体を介して上り信号として前記特性情報を送信することを特徴とする。
このような構成によれば、特性情報を上り信号として送信することでシステムの構成を簡易化することができる。
【００１７】
また、本発明は、前記情報送信手段は前記情報受信手段に対して、電話回線を介して前記特性情報を送信することを特徴とする。
このような構成によれば、放送信号を伝送する伝送媒体に不具合が生じた場合であっても特性情報を送信することができる。
【００１８】
また、本発明は、放送信号を再送信する送信装置と、前記送信装置によって送信された前記放送信号を受信する受信装置とを有する再送信システムの前記送信装置において、前記放送信号を前記受信装置に向けて送信する放送送信手段と、前記放送信号の周波数特性を示す特性情報を前記受信装置から受信する情報受信手段と、前記情報受信手段によって受信された前記特性情報に基づいて、前記放送送信手段が送信する前記放送信号の前記周波数特性を調整する調整手段と、を有することを特徴とする。
このような構成によれば、受信装置の製造コストの増加を抑制しつつ、フラットな特性の受信信号を得ることが可能となる。
【００１９】
また、本発明は、放送信号を再送信する送信装置と、前記送信装置によって送信された前記放送信号を受信する受信装置とを有する再送信システムの前記受信装置において、前記送信装置から前記放送信号を受信する放送受信手段と、前記放送受信手段によって受信した前記放送信号の前記周波数特性を検出する検出手段と、前記検出手段によって検出された前記周波数特性を前記特性情報として前記送信装置の前記情報受信手段に対して送信する情報送信手段と、を有することを特徴とする。
このような構成によれば、受信装置の製造コストの増加を抑制しつつ、フラットな特性の受信信号を得ることが可能となる。
【発明の効果】
【００２０】
本発明によれば、受信装置の製造コストの増加を抑制しつつ、フラットな特性の受信信号を得ることが可能な再送信システム、送信装置、および、受信装置を提供することができる。
【図面の簡単な説明】
【００２１】
【図１】本発明の第１実施形態に係る再送信システムの構成例を示す図である。
【図２】図１に示すＨＥ装置の詳細な構成例を示す図である。
【図３】図２に示すＤＳＰの詳細な構成例を示す図である。
【図４】図１に示すＯＮＵの詳細な構成例を示す図である。
【図５】第１実施形態の動作を説明するための図である。
【図６】第１実施形態の動作を説明するための図である。
【図７】第１実施形態の動作を説明するための図である。
【図８】第１実施形態の動作を説明するための図である。
【図９】図２に示すＨＥ装置において実行される処理の一例を説明するためのフローチャートである。
【図１０】図３に示すＯＮＵにおいて実行される処理の一例を説明するためのフローチャートである。
【図１１】本発明の第２実施形態に係る再送信システムの構成例を示す図である。
【図１２】図１１に示す帰還部の詳細な構成例を示す図である。
【図１３】図１１に示すＯＮＵの詳細な構成例を示す図である。
【図１４】本発明の第３実施形態に係るＨＥ装置の構成例を示す図である。
【図１５】本発明の第４実施形態に係るＨＥ装置の構成例を示す図である。
【図１６】本発明の第５実施形態に係るＨＥ装置の構成例を示す図である。
【発明を実施するための形態】
【００２２】
次に、本発明の実施形態について説明する。
【００２３】
（Ａ）本発明の第１実施形態の構成の説明
図１は、本発明の第１実施形態の構成例を示す図である。図１に示す構成例では、再送信システム１は、アンテナ１０、パラボラアンテナ１１、ＣＡＴＶ（Cable Television）入力部１２、ＨＥ（Head End）装置２０、光伝送路５０，５２−１〜５２−ｎ（ｎ≧１）、分岐部５１、ＯＮＵ（Optical Network Unit）６０−１〜６０−ｎ、電気伝送路７０−１〜７０−ｎ，７２−１〜７２−３、分配部７１−１〜７１−ｎ、および、テレビジョン受像機８０−１〜８０−ｍ（ｍ≧１）を有している。なお、図１では、図面を簡略化するために、分配部７１−２〜７１−ｎよりも後段の構成は省略している。
【００２４】
ここで、アンテナ１０は、例えば、４７０〜７１０ＭＨｚ帯の地上デジタル放送を受信し、ＨＥ装置２０に供給する。パラボラアンテナ１１は、例えば、１．０〜３．２ＧＨｚ帯の衛星放送を受信し、ＨＥ装置２０に供給する。ＣＡＴＶ入力部１２は、例えば、７０〜７７０ＭＨｚ帯のＣＡＴＶ放送を受信し、ＨＥ装置２０に供給する。なお、これらの周波数帯は一例であって、これ以外の周波数帯の放送信号を用いるようにしてもよい。
【００２５】
ＨＥ装置２０は、例えば、集合住宅の管理室等に配置され、アンテナ１０、パラボラアンテナ１１、ＣＡＴＶ入力部１２から供給される放送信号を合成し、光信号に変換してＯＮＵ６０−１〜６０−ｎに送信する。なお、ＨＥ装置２０の詳細は、図２および図３を参照して後述する。
【００２６】
光伝送路５０，５２−１〜５２−ｎは、ＨＥ装置２０から出力される光信号（下り信号）をＯＮＵ６０−１〜６０−ｎに供給するとともに、ＯＮＵ６０−１〜６０−ｎにおいて検出された特性情報（詳細は後述する）を光信号（上り信号）としてＨＥ装置２０に供給する。
【００２７】
分岐部５１は、光伝送路５０から供給される光信号を分波して光伝送路５２−１〜５２−ｎに送出するとともに、光伝送路５２−１〜５２−ｎから供給される光信号を合波して光伝送路５０に送出する。
【００２８】
ＯＮＵ６０−１〜６０−ｎは、例えば、集合住宅の各階、または、各棟に配置され、ＨＥ装置２０から伝送される光信号を電気信号に変換し、電気伝送路７０−１〜７０−ｎ，７２−１〜７２−３を介してテレビジョン受像機８０−１〜８０−ｍに供給する。
【００２９】
電気伝送路７０−１〜７０−ｎ，７２−１〜７２−３は、例えば、同軸ケーブルによって構成され、サービス需用者宅のテレビジョン受像機８０−１〜８０−ｍに放送信号を供給する。
【００３０】
分配部７１−１〜７１−ｎは、ＯＮＵ６０−１〜６０−ｎから出力される電気信号を分配してテレビジョン受像機８０−１〜８０−ｍに供給する。
【００３１】
テレビジョン受像機８０−１〜８０−ｍは、需用者宅に配置され、電気伝送路７２−１〜７２−３を介して伝送される電気信号を再生して映像または音声を出力する。
【００３２】
図２は、図１に示すＨＥ装置２０の構成例を示す図である。図２に示すように、ＨＥ装置２０は、ＢＰＦ（Band Pass Filter）２１，２２、加算器２３、ＡＧＣ（Automatic Gain Control）２４、乗算器２５、ローカル信号発生部２６、ＢＰＦ２７、ＡＧＣ２８、ＡＤＣ（Analog to Digital Converter）２９、制御部３０、ＤＳＰ（Digital Signal Processor）３１、通信部３２、ＤＡＣ（Digital to Analog Converter）３３、Ｏ／Ｅ（Optical/Electrical）３４、Ｅ／Ｏ（Electrical/Optical）３５、および、ＷＤＭ（Wavelength Division Multiplexing）３６を有している。
【００３３】
ここで、ＢＰＦ２１は、アンテナ１０から供給される信号から、例えば、４７０〜７１０ＭＨｚ帯の地上デジタル放送信号を通過させ、それ以外の帯域を減衰して出力する。ＢＰＦ２２は、パラボラアンテナ１１から供給される信号から、例えば、１．０〜３．２ＧＨｚ帯の衛星放送信号を通過させ、それ以外の帯域を減衰して出力する。
【００３４】
加算器２３は、ＢＰＦ２１から供給される地上デジタル放送信号、ＢＰＦ２２から供給される衛星放送信号、および、ＣＡＴＶ入力部１２から供給されるＣＡＴＶ放送信号を加算して出力する。
【００３５】
ＡＧＣ２４は、制御部３０によってゲインが制御され、加算器２３から供給される放送信号を所定のゲインで増幅（または減衰）して出力する。
【００３６】
乗算器２５は、ローカル信号発生部２６から供給されるローカル信号によって、ＡＧＣ２４から出力される放送信号を周波数変換（低いまたは高い周波数帯に変換）して出力する。ローカル信号発生部２６は、放送信号を周波数変換するためのローカル信号を発生して出力する。
【００３７】
ＢＰＦ２７は、乗算器２５から出力される信号に含まれる放送信号を通過し、それ以外の信号を減衰して出力する。
【００３８】
ＡＧＣ２８は、制御部３０によってゲインが制御され、ＢＰＦ２７から供給される放送信号を所定のゲインで増幅（または減衰）して出力する。
【００３９】
ＡＤＣ２９は、ＡＧＣ２８から出力されるアナログ信号を対応するデジタル信号に変換して出力する。
【００４０】
制御部３０は、ＡＧＣ２８から出力される信号を参照してＡＧＣ２４，２８を制御するとともに、通信部３２から供給される信号を参照してＤＳＰ３１を制御する。
【００４１】
ＤＳＰ３１は、制御部３０によって制御され、ＡＤＣ２９から供給されるデジタル信号に対してフィルタ処理を施して出力する。
【００４２】
通信部３２は、Ｏ／Ｅ３４から供給される特性情報を受信して復調し、制御部３０に供給する。
【００４３】
ＤＡＣ３３は、ＤＳＰ３１から供給されるデジタル信号を対応する放送信号に変換して出力する。
【００４４】
Ｏ／Ｅ３４は、ＷＤＭ３６から供給される光信号を電気信号に変換して特性情報を復調し、通信部３２に供給する。
【００４５】
Ｅ／Ｏ３５は、ＤＡＣ３３から供給されるアナログ信号を対応する光信号に変換してＷＤＭ３６に供給する。
【００４６】
ＷＤＭ３６は、Ｅ／Ｏ３５から供給される光信号（下り信号）を光伝送路５０に対して送出するとともに、光伝送路５０を伝送される光信号（上り信号）を分離して、Ｏ／Ｅ３４に供給する。なお、下り信号と上り信号は、波長が異なっているので、これらを同じ光伝送路５０で伝送することができる。
【００４７】
図３は、図２に示すＤＳＰ３１の構成例を示す図である。図３に示すように、ＤＳＰ３１は、遅延器９１−１〜９１−Ｎ（Ｎ＞１）、係数倍器９２−０〜９２−Ｎ、および、加算器９３を有している。
【００４８】
ここで、遅延器９１−１〜９１−Ｎは、前段から供給されるデジタル信号を所定の時間遅延して出力する。
【００４９】
係数倍器９２−０〜９２−Ｎは、制御部３０によって、その係数が制御され、ＡＤＣ２９および遅延器９１−１〜９１−Ｎから出力されるデジタル信号に対して所定の係数を乗算して出力する。
【００５０】
加算器９３は、係数倍器９２−０〜９２−Ｎから出力されるデジタル信号を加算して出力する。
【００５１】
図４は、図１に示すＯＮＵ６０−１〜６０−ｎの構成例を示す図である。なお、ＯＮＵ６０−１〜６０−ｎは同様の構成とされるので、以下ではこれらをＯＮＵ６０として説明する。
【００５２】
ＯＮＵ６０は、ＷＤＭ６１、Ｅ／Ｏ６２、Ｏ／Ｅ６３、通信部６４、高周波回路６５、および、制御部６６を有している。
【００５３】
ここで、ＷＤＭ６１は、Ｅ／Ｏ６２から供給される光信号（上り信号）を光伝送路５０に対して送出するとともに、光伝送路５０を伝送される光信号（下り信号）を分離して、Ｏ／Ｅ６３に供給する。
【００５４】
Ｅ／Ｏ６２は、通信部６４から供給される電気信号を光信号に変換してＷＤＭ６１に供給する。
【００５５】
Ｏ／Ｅ６３は、ＷＤＭ６１から供給される光信号を電気信号に変換して高周波回路６５に供給する。
【００５６】
通信部６４は、制御部６６から供給される特性情報を変調してＥ／Ｏ６２に供給する。
【００５７】
高周波回路６５は、例えば、分配器または増幅器等によって構成され、Ｏ／Ｅ６３から出力される高周波信号を分配または増幅して出力する。
【００５８】
制御部６６は、高周波回路６５から出力される放送信号の周波数特性を検出し、特性情報として通信部６４に供給する。
【００５９】
（Ｂ）本発明の第１実施形態の動作の説明
つぎに、本発明の第１実施形態の動作について説明する。図２において、アンテナ１０によって受信された地上デジタル放送信号は、ＢＰＦ２１によって放送信号以外の信号が減衰され、加算器２３に供給される。また、パラボラアンテナ１１によって受信された衛星放送信号は、ＢＰＦ２２によって放送信号以外の信号が減衰され、加算器２３に供給される。加算器２３は、ＢＰＦ２１から供給される地上デジタル放送信号、ＢＰＦ２２から供給される衛星放送信号、ＣＡＴＶ入力部１２から供給されるＣＡＴＶ信号を加算して合成し、ＡＧＣ２４に供給する。
【００６０】
ＡＧＣ２４は、後述するように制御部３０によって制御され、加算器２３から供給される放送信号を所定のゲインで増幅して出力する。乗算器２５は、ローカル信号発生部２６から供給されるローカル信号により、放送信号を周波数変換し、ＡＤＣ２９によってデジタル信号に変換可能な周波数帯の信号に変換して出力する。ＢＰＦ２７は、乗算器２５から出力される信号のうち、周波数変換された放送信号を通過させ、それ以外の信号を減衰して出力する。ＡＧＣ２８は、後述するように制御部３０によって制御され、加算器２３から供給される放送信号を所定のゲインで増幅して出力する。
【００６１】
制御部３０は、ＡＧＣ２８から供給される放送信号の信号レベルを検出し、検出した信号レベルに基づいてＡＧＣ２４，２８を制御する。
【００６２】
図５は、ＡＧＣ２８から出力される信号の一例を示している。図５の例では、横軸は周波数を示し、縦軸は信号レベルを示している。この図５の例では、信号の平均レベルは、０ｄＢよりも低いレベルとなっている。
【００６３】
制御部３０は、図５に示す信号の平均レベルを算出し、算出した平均レベルが所定のレベル（例えば、０ｄＢ）になるように、ＡＧＣ２４，２８のゲインを設定する。
【００６４】
図６は、制御部３０によってＡＧＣ２４，２８のゲインが設定された場合に、ＡＧＣ２８から出力される放送信号の信号レベルを示す図である。この図６の例では、信号の平均レベルが０ｄＢになるように調整されている。
【００６５】
以上の動作によって、信号レベルが調整された放送信号は、ＡＤＣ２９によってデジタル信号に変換され、ＤＳＰ３１に供給される。
【００６６】
ＤＳＰ３１は、図３に示すようなデジタルフィルタ（マルチバンドフィルタ）を構成する。図３に示すデジタルフィルタの伝達関数Ｈ（Ｚ）は、係数倍器９２−０〜９２−Ｎの係数をａ０，ａ１，ａ２，・・・，ａＮとすると、以下の式（１）によって表すことができる。ここで、ＺはＺ変換を示す。
【００６７】
Ｈ（Ｚ）＝ａ０＋ａ１Ｚ−１＋ａ２Ｚ−２＋ａ３Ｚ−３＋・・・＋ａＮＺ−Ｎ  ・・・（１）
【００６８】
制御部３０は、通信部３２から供給される特性情報を参照し、ＯＮＵ側における放送信号の周波数特性がフラットになるように、式（１）のａ０，ａ１，ａ２，・・・，ａＮを調整する。なお、式（１）を調整する動作の詳細については後述する。
【００６９】
ＤＳＰ３１によってフィルタ処理が施されたデジタル放送信号は、ＤＡＣ３３に供給され、そこでアップコンバートされ、高周波信号に変換される。Ｅ／Ｏ３５は、ＤＡＣ３３から供給される放送信号を、例えば、波長が１５５０ｎｍの光信号に変換し、光伝送路５０に送出する。
【００７０】
光伝送路５０に送出された光信号は、分岐部５１および光伝送路５２−１〜５２−ｎを経由して、ＯＮＵ６０−１〜６０−ｎに供給される。なお、ＯＮＵ６０−１〜６０−ｎの動作は同様であるので、以下では、これらをＯＮＵ６０として説明する。
【００７１】
ＯＮＵ６０は、ＨＥ装置２０から送信された光信号をＷＤＭ６１によって分岐してＯ／Ｅ６３に供給する。Ｏ／Ｅ６３は、ＷＤＭ６１から供給される光信号を電気信号に変換して、高周波回路６５に供給する。
【００７２】
高周波回路６５は、Ｏ／Ｅ６３から出力される電気信号を分配または増幅して出力する。
【００７３】
高周波回路６５から出力される信号は、電気伝送路７０−１，７２−１〜７２−３および分配部７１−１〜７１−ｎを介してテレビジョン受像機８０−１〜８０−ｍに供給される。この結果、需用者は、テレビジョン受像機８０−１〜８０−ｍによって放送信号（地上デジタル放送、衛星放送、および、ＣＡＴＶ放送）を視聴することができる。
【００７４】
ところで、ＯＮＵ６０の制御部６６は、電気伝送路７０−１〜７０−ｎ，７２−１〜７２−３を伝送される電気信号の周波数特性を検出する。例えば、制御部６６は、電気伝送路７０−１〜７０−ｎ，７２−１〜７２−３を伝送される電気信号の周波数特性として、図６に示すような特性を検出する。このようにして制御部６６によって検出された周波数特性は、例えば、それぞれの周波数帯とその信号レベルを示す情報（特性情報）に変換される。一例として、図６の例では、低い方から第１番目の周波数帯の信号レベルは０ｄＢであり、第２番目の周波数帯の信号レベルは−２ｄＢであり、第３番目の周波数帯の信号レベルは＋５Ｂであり、・・・、といった情報に変換される。
【００７５】
通信部６４は、以上のような特性情報に対して所定の変調処理を施し、Ｅ／Ｏ６２に供給する。Ｅ／Ｏ６２は、通信部６４から供給される電気信号を、例えば、波長が１３５０ｎｍの光信号に変換し、ＷＤＭ６１を介してＨＥ装置２０に対して送信する。
【００７６】
ＨＥ装置２０では、このような特性情報を含む光信号を受信し、ＷＤＭ３６を介してＯ／Ｅ３４に供給する。Ｏ／Ｅ３４は、特性情報を含む光信号を電気信号に変換し、通信部３２に供給する。
【００７７】
通信部３２は、Ｏ／Ｅ３４から供給される電気信号を復調し、特性情報を抽出して制御部３０に供給する。制御部３０は、特性情報に基づいて、ＤＳＰ３１の係数倍器９２−０〜９２−Ｎを設定する。より詳細には、特性情報に示される信号の特性が図６である場合、これをフラットにするための図７に示す特性になるようにＤＳＰ３１の係数倍器９２−０〜９２−Ｎを設定する。すなわち、図６に示す信号の特性では、低い方から第１番目の周波数帯の信号レベルは約０ｄＢであるので図７に示す特性では約０ｄＢに設定され、第２番目の周波数帯の信号レベルは約−２ｄＢであるので図７に示す特性では約＋２ｄＢに設定され、第３番目の周波数帯の信号レベルは＋５Ｂであるので−５ｄＢに設定され、・・・、となる。
【００７８】
以上の動作によって、ＤＳＰ３１の係数倍器９２−０〜９２−Ｎが設定されると、ＤＳＰ３１はマルチバンドフィルタとして動作し、テレビジョン受像機８０−１〜８０−ｍによって受信される放送信号が、図８に示すように、フラットな特性となるように、周波数特性を調整する（プリディストーションを施す）。
【００７９】
このようにしてＤＳＰ３１によってプリディストーションが施された放送信号はＤＡＣ３３によってアナログ信号に変換され、Ｅ／Ｏ３５によって光信号に変換された後、ＷＤＭ３６から送信される。
【００８０】
ＯＮＵ６０では、図７に示すようなプリディストーションが施された放送信号をＷＤＭ６１が受信し、Ｏ／Ｅ６３によって電気信号に変換され、高周波回路６５によって分配または増幅された後、テレビジョン受像機８０−１〜８０−ｍに供給される。この結果、テレビジョン受像機８０−１〜８０−ｍには、図８に示すフラットな特性を有する放送信号が供給されることから、テレビジョン受像機８０−１〜８０−ｍは放送信号を正常に再生することができる。
【００８１】
つぎに、図９および図１０を参照して、第１実施形態において実行される処理の一例について説明する。図９は、ＨＥ装置２０において実行される処理の一例を説明するためのフローチャートである。図９に示すフローチャートが開始されると、以下のステップが実行される。
【００８２】
ステップＳ１０では、制御部３０は、再送信システムが新たに設置されて、電源が投入された際の初回の処理であるか否かを判定し、初回の処理であると判定した場合（ステップＳ１０：Ｙ）にはステップＳ１１に進み、それ以外の場合（ステップＳ１０：Ｎ）には処理を終了する。なお、設置後の電源投入時を初回の処理とするのではなく、例えば、システムをリセットするためのリセットボタンが操作された場合を初回の処理と判定するようにしてもよい。
【００８３】
ステップＳ１１では、制御部３０は、ＡＧＣ２８の出力信号を参照し、放送信号の平均信号レベルを検出する。その結果、例えば、図５に示す放送信号の平均信号レベルが検出される。
【００８４】
ステップＳ１２では、制御部３０は、ステップＳ１１で検出した平均信号レベルに基づいて、ＡＧＣ２４，２８を設定する。例えば、図５に示す放送信号の場合には、ＡＧＣ２８から出力される放送信号の平均信号レベルが０ｄＢになるように、ＡＧＣ２４，２８のゲインを設定する。
【００８５】
ステップＳ１３では、制御部３０は、全てのＯＮＵ６０−１〜６０−ｎに対して、特性情報を送信するように要求する。例えば、制御部３０は、ＤＳＰ３１から出力される信号に対して、特性情報を送信するように要求する制御信号を重畳させることで、ＯＮＵ６０−１〜６０−ｎに対して、特性情報を送信するように要求することができる。
【００８６】
ステップＳ１４では、制御部３０は、ＯＮＵ６０−１〜６０−ｎから全ての特性情報を受信したか否かを判定し、全て受信したと判定した場合（ステップＳ１４：Ｙ）にはステップＳ１５に進み、それ以外の場合（ステップＳ１４：Ｎ）には同様の処理を繰り返す。この結果、全てのＯＮＵ６０−１〜６０−ｎから図６に示すような放送信号の周波数特性を示す特性情報を受信する。なお、光伝送路５０，５２−１〜５２−ｎおよび電気伝送路７０−１〜７０−ｎ，７２−１〜７２−３の特性が異なることから、ＯＮＵ６０−１〜６０−ｎから送信される特性情報は、一般的にはそれぞれ異なっている。
【００８７】
ステップＳ１５では、制御部３０は、ステップＳ１４で受信した全ての特性情報の帯域毎の最大値を取得する。例えば、全ての特性情報において、第１番目の周波数帯の信号レベルの中から、最大の信号レベルを示すものを特定し、その値を第１番目の周波数帯の最大値とする。同様にして、第２番目の周波数等でも、最大の信号レベルをそれぞれ特定する。
【００８８】
ステップＳ１６では、制御部３０は、ステップＳ１４で受信した全ての特性情報の帯域毎の最小値を取得する。例えば、全ての特性情報において、第１番目の周波数帯の信号レベルの中から、最小の信号レベルを示すものを特定し、その値を第１番目の周波数帯の最小値とする。同様にして、第２番目の周波数等でも、最小の信号レベルをそれぞれ特定する。
【００８９】
ステップＳ１７では、制御部３０は、全帯域の最大値が閾値Ｔｈ１以下であるか否かを判定し、閾値Ｔｈ１以下である場合（ステップＳ１７：Ｙ）にはステップＳ１８に進み、それ以外の場合（ステップＳ１７：Ｎ）にはステップＳ１９に進む。例えば、全ての周波数帯を＋２ｄＢ以下に収める場合、第１番目の周数帯の最大値が＋１ｄＢであり、第２番目の周波数帯の最大値が＋１．５ｄＢであり、第３番目の最大値が０ｄＢであり、それ以外の周波数帯も最大値が２ｄＢ以下である場合には、Ｙと判定してステップＳ１８に進む。
【００９０】
ステップＳ１８では、制御部３０は、全帯域の最小値が閾値Ｔｈ２（＜Ｔｈ１）以上であるか否かを判定し、閾値Ｔｈ２以上である場合（ステップＳ１８：Ｙ）には処理を終了し、それ以外の場合（ステップＳ１８：Ｎ）にはステップＳ１９に進む。例えば、全ての周波数帯を−２ｄＢ以上に収める場合、第１番目の周数帯の最小値が−１．５ｄＢであり、第２番目の周波数帯の最大値が＋０．５ｄＢであり、第３番目の最大値が−１ｄＢであり、それ以外の周波数帯も最小値が−２ｄＢ以上である場合には、Ｙと判定して処理を終了する。
【００９１】
ステップＳ１９では、制御部３０は、ステップＳ１５およびステップＳ１６において特定した最大値および最小値に基づいて、図３に示すデジタルフィルタを構成する係数倍器９２−０〜９２−Ｎの値を計算する。すなわち、制御部３０は、ＯＮＵ６０−１〜６０−ｎの全てによって受信される放送信号の全帯域の信号レベルが所定の範囲内（例えば、プラスマイナス２ｄＢ）に収まるように、ＤＳＰ３１のマルチバンドフィルタとしての特性を算出する。例えば、図７に示す特性を有するように、ＤＳＰ３１のマルチバンドフィルタとしての特性を算出する。なお、初回の処理では、所定の範囲を狭く設定し（例えば、例えば、プラスマイナス１ｄＢに設定し）、２回目以降の処理では、範囲を広く設定する（例えば、例えば、プラスマイナス１ｄＢに設定する）ようにしてもよい。
【００９２】
ステップＳ２０では、制御部３０は、ステップＳ１９で算出した特性に基づいて、ＤＳＰ３１の係数倍器９２−１〜９２−Ｎの特性を設定する。なお、ＤＳＰ３１だけではゲインを十分に確保できない場合には、ＡＧＣ２４，２８のゲインも併せて調整するようにしてもよい。
【００９３】
つぎに、図１０を参照して、図４に示すＯＮＵ６０において実行される処理の一例について説明する。図１０に示す処理が開始されると、以下のステップが実行される。
【００９４】
ステップＳ３０では、制御部６６は、ＨＥ装置２０から特性情報の送信要求があったか否かを判定し、送信要求があったと判定した場合（ステップＳ３０：Ｙ）にはステップＳ３１に進み、それ以外の場合（ステップＳ３０：Ｎ）には処理を終了する。例えば、ＨＥ装置２０から供給される下り信号に送信要求を示す制御信号（ステップＳ１３の処理による信号）が重畳されている場合にはＹと判定してステップＳ３１に進む。
【００９５】
ステップＳ３１では、制御部６６は、帯域毎に信号レベルを検出する。例えば、図６に示す第１番目の周波数帯、第２番目の周波数帯、第３番目の周波数帯、・・・のそれぞれについて信号レベルを検出する。
【００９６】
ステップＳ３２では、制御部６６は、帯域毎に信号レベルを特性情報に変換する。例えば、帯域を特定する情報と、その帯域の信号レベルを示し情報とを対応付けすることで、これらを特性情報に変換する。
【００９７】
ステップＳ３３では、制御部６６は、ステップＳ３２で生成した特性情報を通信部６４およびＥ／Ｏ６２を介してＨＥ装置２０に送信する。この結果、ＨＥ装置２０では、ステップＳ１４の処理によって、この特性情報を受信する。
【００９８】
以上に説明したように、本発明の第１実施形態によれば、ＯＮＵ６０−１〜６０−ｎにおいて検出した特性情報をＨＥ装置２０にフィードバックして、ＤＳＰ３１のマルチバンドフィルタの特性を調整するようにしたので、ＯＮＵ６０−１〜６０−ｎの製造コストの増加を抑制しつつ、フラットな特性の受信信号を得ることが可能となる。
【００９９】
また、以上の第１実施形態では、マルチバンドフィルタを用いて特性を設定するようにしたので、帯域を複数に分割して、それぞれの帯域毎にフィルタ処理を実行する場合に比較すると、フィルタの構成を簡略化することができる。
【０１００】
（Ｃ）本発明の第２実施形態の構成の説明
つぎに、本発明の第２実施形態について説明する。図１１〜図１３は本発明の第２実施形態の構成例を示す図である。まず、図１１は、第２実施形態に係る再送信システムの構成例を示す図である。なお、図１１において、図１と対応する部分には同一の符号を付してその説明を省略する。
【０１０１】
図１１では、図１と比較すると、分配部７１−１とテレビジョン受像機８０−１〜８０−３の間に帰還部１００−１〜１００−３が配置されている。なお、図１１では、図面を簡略化するために、分配部７１−２〜７１−ｎよりも後段の構成を省略しており、これらの後段にも帰還部とテレビジョン受像機とが配置されている。
【０１０２】
帰還部１００−１〜１００−３は、例えば、集合住宅の需用者宅毎に配置され、需用者が電気伝送路７２−１〜７２−３を介して実際に受信している放送信号に対応する特性情報を生成してＯＮＵ６０−１〜６０−ｎに供給する。
【０１０３】
図１２は、帰還部１００−１〜１００−３の構成例を示す図である。なお、帰還部１００−１〜１００−３は同様の構成とされているので、以下ではこれらを帰還部１００として説明する。
【０１０４】
帰還部１００は、重畳部１０１、通信部１０２、および、制御部１０３を有している。重畳部１０１は、ＯＮＵ６０から伝送される放送信号（下り信号）を通過させるとともに、通信部１０２から供給される特性情報を含む信号（上り信号）をＯＮＵ６０に伝送する。なお、通信部１０２から供給される信号の周波数帯は、放送信号とは異なる周波数帯に設定されているので、これらが干渉することはない。
【０１０５】
通信部１０２は、制御部１０３から供給される特性情報に対して変調処理を施し、重畳部１０１に供給する。制御部１０３は、重畳部１０１から出力される放送信号の帯域毎の信号レベルを検出し、検出した信号レベルと帯域を特定する情報を関連づけた特性情報を生成して、通信部１０２に供給する。
【０１０６】
図１３は、図１１に示すＯＮＵ６０−１〜６０−ｎの構成例を示す図である。なお、図１３において、図４と対応する部分には同一の符号を付してその説明を省略する。
【０１０７】
図１３では、図４と比較すると、制御部６６の前段に通信部６７が追加されている。これ以外の構成は、図４と同様である。
【０１０８】
通信部６７は、図１２に示す帰還部１００の通信部１０２から電気伝送路７２−１〜７２−３を介して伝送される電気信号を受信して復調し、特性情報を取得して制御部６６に供給する。
【０１０９】
（Ｄ）本発明の第２実施形態の動作の説明
つぎに、本発明の第２実施形態の動作について説明する。なお、第２実施形態では、特性情報を帰還部１００が検出してＯＮＵ６０に供給する点が異なっている。以下では、相違点を中心にして動作を説明する。
【０１１０】
帰還部１００の制御部１０３は、重畳部１０１から出力され、テレビジョン受像機８０に供給される放送信号の帯域毎の信号レベルを検出し、特性情報を生成する。例えば、放送信号が図６に示すような特性を有する場合、各帯域の信号レベルを検出し、帯域を特定するための情報と対応付けして、特性情報を生成する。このようにして生成された特性情報は、通信部１０２に供給される。
【０１１１】
通信部１０２は、制御部１０３から供給された特性情報に対して変調処理を施し、重畳部１０１に供給する。重畳部１０１は、通信部１０２から供給された信号を、ＯＮＵ６０に対して送信する。
【０１１２】
ＯＮＵ６０の通信部６７は、帰還部１００から供給された信号を受信して復調することで、特性情報を取得し、制御部６６に供給する。
【０１１３】
制御部６６は、通信部６７から供給された信号に含まれている特性情報を抽出し、通信部６４に供給する。通信部６４は、特性情報を変調してＥ／Ｏ６２に供給する。
【０１１４】
Ｅ／Ｏ６２は、ＷＤＭ６１を介して、特性情報を含む光信号をＨＥ装置２０に対して送信する。ＨＥ装置２０では、前述した場合と同様の処理により、マルチバンドフィルタの特性を算出し、算出した特性を実現するための係数を係数倍器９２−０〜９２−Ｎに設定する。
【０１１５】
以上に説明したように、第２実施形態では、帰還部１００をテレビジョン受像機８０の近くに配置することで、最終的に使用される形態の放送信号の周波数特性を得ることができる。これにより、マルチバンドフィルタの特性を、より理想的なものに設定することができる。
【０１１６】
（Ｅ）本発明の第３実施形態の構成の説明
つぎに、本発明の第３実施形態について説明する。図１４は、本発明の第３実施形態に係るＨＥ装置２０の構成例を示す図である。なお、図１４において、図２と対応する部分には同一の符号を付してその説明を省略する。図１４では、図２と比較すると、ＡＧＣ２４の後段がＩ，Ｑの２系統の構成とされている。また、ＳＷ３８とサブセンタ３９とが追加されている。
【０１１７】
ここで、ＡＧＣ２４の後段には、乗算器２５−１，２５−２、ＬＰＦ２７−１，２７−２、ＡＧＣ２８−１，２８−２、ＡＤＣ２９−１，２９−２、および、遅延器３７が配置されている。乗算器２５−１は、ローカル信号発生部３６から供給されるローカル信号とＡＧＣ２４から出力される信号を乗算して出力する。ＬＰＦ２７−１は、乗算器２５−１から供給される放送信号を通過し、それ以外の信号を減衰して出力する。ＡＧＣ２８−１は、ＬＰＦ２７−１から供給される信号を制御部３０の制御に応じて増幅してＡＤＣ２９−１に供給する。ＡＤＣ２９−１は、ＬＰＦ２７−１から供給される放送信号をデジタル信号に変換して出力する。遅延器３７は、ローカル信号発生部２６から供給されるローカル信号の位相を９０°遅延して乗算器２５−２に供給する。乗算器２５−２は、遅延器３７から供給されるローカル信号とＡＧＣ２４から出力される信号を乗算して出力する。ＬＰＦ２７−２は、乗算器２５−２から供給される放送信号を通過させ、それ以外の信号を減衰して出力する。ＡＧＣ２８−２は、ＬＰＦ２７−２から供給される信号を制御部３０の制御に応じて増幅してＡＤＣ２９−２に供給する。ＡＤＣ２９−２は、ＬＰＦ２７−２から供給される放送信号をデジタル信号に変換して出力する。ＤＳＰ３１は、ＡＤＣ２９−１，２９−２から供給される直交復調されたデジタル信号を入力し、フィルタ処理を施して出力する。
【０１１８】
なお、ＳＷ３８は、ＡＧＣ２４からＤＡＣ３３までの間のいずれかの回路が故障した場合に、加算器２３の出力信号をＥ／Ｏ３５に供給するためのスイッチである。ＳＷ３８は、制御部３０によって制御されるようにすることができる。
【０１１９】
サブセンタ３９は、例えば、地上デジタル放送、衛星放送、または、ＣＡＴＶ放送以外の放送信号を出力し、ＷＤＭ３６に供給する。
【０１２０】
（Ｆ）本発明の第３実施形態の動作の説明
つぎに、本発明の第３実施形態の動作について説明する。第３実施形態では、加算器２３から出力される地上デジタル放送信号、衛星放送信号、および、ＣＡＴＶ放送信号が合成された信号は、乗算器２５−１と乗算器２５−２に供給される。乗算器２５−１は、加算器２３から出力される信号と、ローカル信号発生部３６から供給されるローカル信号とを乗算することによって周波数変換し、ＬＰＦ２７−１に出力する。ＬＰＦ２７−１は、乗算器２５−１から出力される放送信号を通過させ、それ以外の信号を減衰して出力する。ＡＧＣ２８−１は、ＬＰＦ２７−１から出力される信号を制御部３０の制御に応じて増幅して出力する。ＡＤＣ２９−１は、ＡＧＣ２８−１から出力される信号をデジタル信号に変換してＤＳＰ３１に供給する。
【０１２１】
乗算器２５−２は、加算器２３から出力される信号と、遅延器３７から供給されるローカル信号とを乗算することによって周波数変換し、ＬＰＦ２７−２に出力する。ＬＰＦ２７−２は、乗算器２５−２から出力される放送信号を通過させ、それ以外の信号を減衰して出力する。ＡＧＣ２８−２は、ＬＰＦ２７−２から出力される信号を制御部３０の制御に応じて増幅して出力する。ＡＤＣ２９−２は、ＡＧＣ２８−２から出力される信号をデジタル信号に変換してＤＳＰ３１に供給する。なお、ＡＧＣ２８−１，２８−２は、同じゲインになるように制御部３０によって制御されているので、ＡＤＣ２９−１，２９−２に出力される信号の振幅は同じとなる。
【０１２２】
ここで、遅延器３７から供給されるローカル信号は、ローカル信号発生部３６から供給されるローカル信号に比較して位相が９０°遅れているので、ＡＤＣ２９−１，２９−２からＤＳＰ３１に入力される信号は、直交復調された信号となる。ＤＳＰ３１は、ＡＤＣ２９−１，２９−２から供給される信号に対して、制御部３０の制御に応じた周波数特性のフィルタ処理を施すことで、プリディストーションを実行する。また、ＤＳＰ３１は、フィルタ処理を施した信号を直交復調することにより元の放送信号を得る。これにより、テレビジョン受像機８０−１〜８０−ｍでは、フラットな特性の受信信号を得ることが可能となる。
【０１２３】
以上に説明したように、本発明の第４実施形態によれば、伝送路等の特性に応じたプリティストーションを施すことにより、テレビジョン受像機８０−１〜８０−ｍでは、フラットな特性の受信信号を得ることが可能となる。また、第４実施形態では、直交復調した後にＡＤ変換するようにしたので、ＡＤＣ２９−１，２９−２の動作周波数を図２に比較して１／２に低減することができる。
【０１２４】
（Ｇ）本発明の第４実施形態の構成の説明
つぎに、本発明の第４実施形態について説明する。図１５は、本発明の第４実施形態に係るＨＥ装置２０の構成例を示す図である。なお、図１５において、図２と対応する部分には同一の符号を付してその説明を省略する。図１５では、図２と比較すると、加算器２３の前段にＳＷ（Switch）４０、ＢＰＦ４１−１〜４１−３、および、ＳＷ４２が追加されている。また、ＳＷ３８とサブセンタ３９とが追加されている。これ以外の構成は、図２の場合と同様である。
【０１２５】
ここで、ＳＷ４０は、制御部３０によって制御され、アンテナ１０から出力される地上デジタル放送信号、パラボラアンテナ１１から出力される衛星放送信号、および、ＣＡＴＶ放送信号のいずれか１つを選択するとともに、ＢＰＦ４１−１〜４１−３のいずれかを選択して供給する。ＢＰＦ４１−１〜４１−３は、ＳＷ４０から供給される放送信号を通過させ、それ以外の信号を減衰して出力する。具体的には、ＢＰＦ４１−１は、地上デジタル放送信号を通過させ、それ以外の信号を減衰して出力する。ＢＰＦ４１−２は、衛星放送信号を通過させ、それ以外の信号を減衰して出力する。ＢＰＦ４１−３は、ＣＡＴＶ放送信号を通過させ、それ以外の信号を減衰して出力する。ＳＷ４２は、制御部３０によって制御され、ＢＰＦ４１−１〜４１−３のいずれか１つを選択してＡＧＣ２４に出力信号を供給する。
【０１２６】
（Ｈ）本発明の第４実施形態の動作の説明
つぎに、本発明の第４実施形態の動作について説明する。図１５に示す第４実施形態では、ＳＷ４０は、地上デジタル放送信号、衛星放送信号、および、ＣＡＴＶ放送信号のいずれかを選択し、後段のＢＰＦ４１−１〜４１−３にそれぞれ供給する。また、ＳＷ４２はＳＷ４０が選択しているＢＰＦ４１−１〜４１−３を選択する。例えば、地上デジタル放送信号を選択する場合には、ＳＷ４０はアンテナ１０の出力を選択するとともにＢＰＦ４１−１を選択し、ＳＷ４２はＢＰＦ４１−１を選択する。この結果、アンテナ１０から出力される地上デジタル放送信号は、ＳＷ４０を介してＢＰＦ４１−１に供給される。ＢＰＦ４１−１は、ＳＷ４０から供給される信号から、地上デジタル放送信号を通過させ、それ以外を減衰して出力する。ＳＷ４２は、ＢＰＦ４１−１から出力される地上デジタル放送信号を入力し、ＡＧＣ２４に供給する。
【０１２７】
また、衛星放送信号を選択する場合には、ＳＷ４０はパラボラアンテナ１１の出力を選択するとともにＢＰＦ４１−２を選択し、ＳＷ４２はＢＰＦ４１−２を選択する。この結果、パラボラアンテナ１１から出力される衛星放送信号は、ＳＷ４０を介してＢＰＦ４１−２に供給される。ＢＰＦ４１−２は、ＳＷ４０から供給される信号から、衛星放送信号を通過させ、それ以外を減衰して出力する。ＳＷ４２は、ＢＰＦ４１−２から出力される衛星放送信号を入力し、ＡＧＣ２４に供給する。
【０１２８】
さらに、ＣＡＴＶ放送信号を選択する場合には、ＳＷ４０はＣＡＴＶ１２を選択するとともにＢＰＦ４１−３を選択し、ＳＷ４２はＢＰＦ４１−３を選択する。この結果、ＣＡＴＶ放送信号は、ＳＷ４０を介してＢＰＦ４１−３に供給される。ＢＰＦ４１−３は、ＳＷ４０から供給される信号から、衛星放送信号を通過させ、それ以外を減衰して出力する。ＳＷ４２は、ＢＰＦ４１−３から出力される衛星放送信号を入力し、ＡＧＣ２４に供給する。
【０１２９】
ＡＧＣ２４以降の動作は、第１実施形態の場合と同様であり、ＤＳＰ３１は、ＳＷ４０，４２によって選択された放送信号の周波数特性がフラットになるようにプリディストーションを施した後、送信する。
【０１３０】
以上に説明したように、本発明の第４実施形態によれば、伝送路等の特性に応じたプリティストーションを施すことにより、テレビジョン受像機８０−１〜８０−ｍでは、フラットな特性の受信信号を得ることが可能となる。また、第４実施形態では、伝送する放送信号をＳＷ４０，４２によって選択することにより、周波数帯を狭めることで、ＤＳＰ３１の処理を軽減することができる。
【０１３１】
なお、図１５に示す第４実施形態では、ＳＷ４０，４２によって地上デジタル放送信号、衛星放送信号、または、ＣＡＴＶ放送信号のいずれかを選択するようにしたが、これらの２つ以上の放送信号を選択するようにしてもよい。また、地上デジタル放送信号、衛星放送信号、および、ＣＡＴＶ放送信号を合成し、合成されたこれらの放送信号から所望の帯域を抽出するようにしてもよい。
【０１３２】
また、図１５に示す第４実施形態では、ローカル信号は固定の周波数としたが、例えば、ＳＷ４０，４２によって選択される放送信号の種類に応じた周波数のローカル信号をローカル信号発生部２６が制御部３０の制御に応じて出力するようにしてもよい。
【０１３３】
（Ｉ）本発明の第５実施形態の構成の説明
つぎに、本発明の第５実施形態について説明する。図１６は、本発明の第５実施形態に係るＨＥ装置２０の構成例を示す図である。なお、図１６において、図２と対応する部分には同一の符号を付してその説明を省略する。図１６では、図２と比較すると、乗算器２５およびローカル信号発生部２６が除外されている。また、ＳＷ３８とサブセンタ３９とが追加されている。これ以外の構成は、図２の場合と同様である。
【０１３４】
（Ｊ）本発明の第５実施形態の動作の説明
つぎに、本発明の第５実施形態の動作について説明する。第５実施形態では、ＡＧＣ２４から出力される放送信号は、ローカル信号による周波数変換を受けずに、ＢＰＦ２７に供給される。ＢＰＦ２７は、放送信号を通過させ、それ以外の信号を減衰してＡＧＣ２８に供給する。ＤＳＰ３１は、制御部３０の制御に応じて、フィルタリング処理を実行することで、放送信号に対してプリディストーションを施す。なお、第５実施形態では、ＤＡＣ３３は、ＤＳＰ３１から供給される信号を、周波数変換を行わずにアナログ信号に変換して出力する。なお、ＤＡＣ３３以降の動作は、図２の場合と同様である。
【０１３５】
以上に説明したように、第５実施形態では、制御部３０の制御に応じた周波数特性のフィルタ処理を直交復調した信号に対して施すことで、プリディストーションを実行するようにしたので、テレビジョン受像機８０−１〜８０−ｍでは、フラットな特性の受信信号を得ることが可能となる。
【０１３６】
また、第５実施形態では、周波数変換を実行しないようにしたので、周波数変換に関する構成を省略することで、回路規模を縮小することができる。
【０１３７】
（Ｋ）変形実施形態の説明
以上の実施形態は一例であって、本発明が上述したような場合のみに限定されるものでないことはいうまでもない。例えば、特性情報は、ＯＮＵ６０から光信号でＨＥ装置２０に送信するようにしたが、例えば、これ以外の手段でＨＥ装置２０に送信するようにしてもよい。例えば、ＯＮＵ６０とＨＥ装置２０の間、または、帰還部１００とＨＥ装置２０の間を電話回線によって接続し、ＯＮＵ６０または帰還部１００から電話回線を介してＨＥ装置２０に対して特性情報を送信するようにしてもよい。なお、電話回線は、有線の回線であってもよいし、無線の回線（例えば、携帯電話回線）であってもよい。あるいは、電話回線に代えて、無線または有線の通信網（例えば、インターネットまたはＬＡＮ（Local Area Network））を用いるようにしてもよい。また、特性情報を記憶媒体に記憶させ、この記憶媒体をＨＥ装置２０に対して接続することで、特性情報を伝送するようにしてもよい。
【０１３８】
また、以上の各実施形態では、ＨＥ装置２０とＯＮＵ６０の間は光伝送路５０，５２−１〜５２−ｎによって接続するようにしたが、これらの間を同軸ケーブル等の電気伝送路で接続するようにしてもよい。あるいは、無線通信によって接続するようにしてもよい。なお、ＨＥ装置２０とＯＮＵ６０の間を電気伝送路で接続する場合、特性情報は、ＯＮＵ６０または帰還部１００からＨＥ装置２０に電気信号として伝送することができる。また、ＨＥ装置２０とＯＮＵ６０の間を無線通信によって接続する場合、無線信号としてＯＮＵ６０または帰還部１００からＨＥ装置２０に特性情報を伝送することができる。
【０１３９】
また、ＤＳＰ３１は、図３に示すＦＩＲ（Finite Impulse Response）回路として動作するようにしたが、ＩＩＲ（Infinite Impulse Response）回路として動作するようにしてもよい。また、以上の各実施形態では、ＤＳＰ３１がマルチバンドフィルタとして動作する場合を例に挙げて説明したが、複数の帯域フィルタが並列に動作するように構成してもよい。
【０１４０】
また、以上の各実施形態では、図５に示すように、放送信号に含まれているチャンネルに対応して帯域を設定し、それぞれの帯域の信号レベルを設定するようにしたが、チャンネルとは無関係に帯域を設定し、信号レベルを調整するようにしてもよい。例えば、伝送路の影響によって、中域が減衰し、低域と高域はあまり減衰しない場合がある。そのような場合には、チャンネルとは無関係に中域の信号レベルを増加するように設定することができる。
【０１４１】
また、以上の各実施形態では、特性情報に基づいて、ＤＳＰ３１の特性を直ちに変更するようにしたが、複数回分の特性情報を受信し、これらの特性情報の平均値に基づいてＤＳＰ３１の特性を変更するようにしてもよい。そのような構成によれば、誤検出による誤動作の発生を抑制することができる。
【０１４２】
また、図９に示すフローチャートにおいて、初回の検出時には、高い精度（例えば、プラスマイナス１ｄＢ程度の精度）で設定しておき、２回目以降は低い精度（例えば、プラスマイナス５ｄＢ程度の精度）で設定するようにしてもよい。そのような構成によれば、頻繁にＤＳＰ３１の設定が変更されることで、特性が不安定になる事態を回避することができる。
【０１４３】
また、図１または図１１における光伝送路５０以降の構成（光伝送路、分配部、ＯＮＵ、および、電気伝送路）を模擬系としてＨＥ装置２０の近傍に配置し、この模擬系の特性情報も取得するようにしてもよい。そのような構成によれば、例えば、模擬系の特性情報も同様に変化している場合には、経年変化として判定することができる。また、模擬系以外の特性が急激に変化した場合には、装置の故障と判定することができる。
【０１４４】
また、図９および図１０に示すフローチャートの実行頻度については説明していないが、例えば、視聴者が少ない時間帯（例えば、深夜）に１日１回の頻度で図９および図１０のフローチャートを実行するようにしてもよい。もちろん、１週間、１ヶ月、数ヶ月、または、１年に１回の頻度で図９および図１０に示すフローチャートを実行するようにしてもよい。
【０１４５】
また、降雨または降雪が生じている場合には、地上デジタル放送信号または衛星放送信号の高域特性が劣化することが知られている。このため、高域特性が劣化している場合には、降雨または降雪が生じているとして、ＤＳＰ３１の特性の変更を保留するようにしてもよい。そのような構成によれば、ＤＳＰ３１の特性が頻繁に変更されることを防止できる。もちろん、降雨または降雪による特性劣化に対応してＤＳＰ３１の特性を変更するようにしてもよい。
【０１４６】
また、図１および図１１に示す構成例では、地上デジタル放送信号、衛星放送信号、および、ＣＡＴＶ放送信号を混合して再送信するようにしたが、これらのいずれか１つ以上を混合したり、あるいは、これら以外の放送信号を混合するようにしたりしてもよい。
【０１４７】
また、特性情報としては、各帯域の信号レベルを用いるようにしたが、帯域毎ではなく、所定の周波数毎（例えば、数ＭＨｚ単位）で信号レベルを検出して用いるようにしてもよい。また、変化が生じやすい周波数帯を中心に信号レベルを検出するようにしてもよい。また、ＤＳＰ３１の特性の設定の容易さに着目して周波数帯を設定するようにしてもよい。
【０１４８】
また、特性情報としては、信号レベルを用いるようにしたが、これ以外にも、例えば、チャンネル毎のＭＥＲ（Modulation Error Ratio）またはＢＥＲ（Bit Error Rate）等の情報を用いるようにしてもよい。
【０１４９】
また、帰還部１００については、テレビジョン受像機８０や、図示しないＳＴＢ（Set Top Box）に内蔵するようにしてもよい。そのような構成によれば、需用者が実際に再生している放送信号から特性情報を生成することができる。
【０１５０】
また、以上の各実施形態では、全てのＯＮＵ６０または帰還部１００が特性情報を送信するようにしたが、例えば、一部のＯＮＵ６０が特性情報を送信するようにしたり、一部のテレビジョン受像機８０に帰還部１００を備えたりするようにしてもよい。そのような構成によれば、伝送特性が劣化しやすい、例えば、ＨＥ装置２０から離れた場所にあるＯＮＵ６０やテレビジョン受像機８０に対して優先的に特性情報を送信するようにしてもよい。
【０１５１】
また、以上の各実施形態では、特性情報の最大値と最小値を特定し、最小値と最大値に基づいてＤＳＰ３１の特性を設定するようにしたが、例えば、特性情報の平均値に基づいてＤＳＰ３１の特性を設定するようにしたり、統計処理によって標準偏差等を求め、各ＯＮＵ８０または帰還部１００のばらつきが最小になるようにＤＳＰ３１の特性を設定するようにしたりしてもよい。
【０１５２】
また、図９および図１０に示すフローチャートは一例であって、図９および図１０に示す処理の順序や、処理内容のみに本発明が限定されないことはいうまでもない。
【０１５３】
また、以上の各実施形態では、制御部３０によってＨＥ装置２０の各部を制御するようにしたが、ＤＳＰ３１に制御機能を持たせて、ＤＳＰ３１がＨＥ装置２０の各部を制御するようにしてもよい。
【符号の説明】
【０１５４】
１０  アンテナ
１１  パラボラアンテナ
１２  ＣＡＴＶ入力部
２０  ＨＥ装置
２１，２２，２７  ＢＰＦ
２３  加算器
２４，２８  ＡＧＣ
２５  乗算器
２６  ローカル信号発生部
２９  ＡＤＣ
３０  制御部
３１  ＤＳＰ
３２  通信部
３３  ＤＡＣ
３４  Ｅ／Ｏ
３５  Ｏ／Ｅ
３６  ＷＤＭ
３７  遅延器
３８  ＳＷ
３９  サブセンタ
４０，４２  ＳＷ
４１−１〜４１−３  ＢＰＦ
５０，５２−１〜５２−ｎ  光伝送路
５１  分岐部
６０−１〜６０−ｎ  ＯＮＵ
６１  ＷＤＭ
６２  Ｅ／Ｏ
６３  Ｏ／Ｅ
６４  通信部
６５  高周波回路
６６  制御部
６７  通信部
７０−１〜７０−ｎ，７２−１〜７２−３  電気伝送路
７１−１〜７１−ｎ  分配部
８０−１〜８０−ｍ  テレビジョン受像機
９１−１〜９１−Ｎ  遅延器
９２−０〜９２−Ｎ  係数倍器
９３  加算器
１００−１〜１００−３  帰還部
１０１  重畳部
１０２  通信部
１０３  制御部
【図１】
2018191092.tif 000003
【図２】
2018191092.tif 000004
【図３】
2018191092.tif 000005
【図４】
2018191092.tif 000006
【図５】
2018191092.tif 000007
【図６】
2018191092.tif 000008
【図７】
2018191092.tif 000009
【図８】
2018191092.tif 000010
【図９】
2018191092.tif 000011
【図１０】
2018191092.tif 000012
【図１１】
2018191092.tif 000013
【図１２】
2018191092.tif 000014
【図１３】
2018191092.tif 000015
【図１４】
2018191092.tif 000016
【図１５】
2018191092.tif 000017
【図１６】
2018191092.tif 000018